(57)【特許請求の範囲】
【請求項１】
ディジタルカメラの色再現特性測定装置であって、
カラー画像を表示可能な表示手段と、
複数の色彩値が対応付けられたカラーチャートデータを記憶する記憶手段と、
前記色彩値に基づいて表示信号を生成し、前記表示手段に与えることで、前記カラーチャートデータに対応するカラーチャートを前記表示手段に表示させる表示制御手段と、
前記表示手段に表示される前記カラーチャートの各表示色を測色する測色手段と、
前記色彩値と前記測色手段で得られる測色値との色差が所定範囲内となるように前記表示信号を調整することによって、前記表示手段に表示される前記カラーチャートの各表示色を補正する色補正手段と、
前記色補正手段によって補正された前記カラーチャートを前記ディジタルカメラで撮影して得られる画像データに基づいて、前記カラーチャートの各表示色に対応する色成分値を求め、当該色成分値と前記色彩値とを対応付けることによって前記ディジタルカメラの色再現特性データを求める演算手段と、
を備える、ディジタルカメラの色再現特性測定装置。
【請求項２】
請求項１に記載のディジタルカメラの色再現特性測定装置であって、
前記色再現特性データを前記ディジタルカメラに対して出力することを特徴とする、ディジタルカメラの色再現特性測定装置。
【請求項３】
ディジタルカメラの色再現特性測定方法であって、
複数の色彩値が対応付けられたカラーチャートデータに基づいて表示信号を生成し、所定の表示手段に与えることで、前記カラーチャートデータに対応するカラーチャートを前記表示手段に表示させる工程と、
前記表示手段に表示される前記カラーチャートの各表示色を所定の測色手段で測色する工程と、
前記色彩値と前記測色手段で得られる測色値との色差が所定範囲内となるように前記表示信号を調整することによって、前記表示手段に表示される前記カラーチャートの各表示色を補正する工程と、
前記各表示色の補正された前記カラーチャートを前記ディジタルカメラで撮影して得られる画像データに基づいて、前記カラーチャートの各表示色に対応する色成分値を求め、当該色成分値と前記色彩値とを対応付けることによって前記ディジタルカメラの色再現特性データを求める工程と、
を有する、ディジタルカメラの色再現特性測定方法。
【請求項４】
請求項３に記載のディジタルカメラの色再現特性測定方法であって、
前記色再現特性データを前記ディジタルカメラに対して出力する工程を更に有する、ディジタルカメラの色再現特性測定方法。
【発明の詳細な説明】
【０００１】
【発明の属する技術分野】
この発明は、ディジタルカメラの色再現特性を測定するための技術に関する。
【０００２】
【従来の技術】
ディジタルカメラを用いて撮影を行うと、静止画や動画に関するカラー画像データが得られる。ところが、ディジタルカメラの光学特性やＣＣＤ撮像素子の感度特性等により、同一の被写体を撮影した場合であっても異なるディジタルカメラを用いて撮影した画像データでは色の再現性が異なるのが一般的である。
【０００３】
そのため従来は、個々のディジタルカメラの色再現性を向上させるために、ディジタルカメラを用いて、予め決められた色彩値で複数の色パターンが印刷されたカラーチャート紙を撮影し、その結果得られる画像データの色成分値と予め分かっている色彩値とを評価することで、個々のディジタルカメラの色再現特性データを求めることが行われていた。
【０００４】
そして、このようにして得られる色再現特性データは、いわゆるカラーマッチング技術に適用され、コンピュータやプリンタ等においてディジタルカメラの色再現特性データに基づいた色補正が行われ、色再現性の高度化が図られている。
【０００５】
【発明が解決しようとする課題】
しかしながら、紙等の媒体に対して複数の色パターンを印刷することによってカラーチャート紙を実現すると、経時的に各色パターンが退色していくという問題がある。このため、カラーチャート紙を撮影した画像データの色成分値と予め分かっている色彩値とを評価したとしても、カラーチャート紙の色パターンが予め分かっている色彩値とは異なった色成分となっているため、色再現特性データの信頼性に欠けることになる。
【０００６】
そこで、この発明は、上記課題に鑑みてなされたものであって、常に高い信頼性でディジタルカメラの色再現特性を求めることの可能な色再現特性測定装置及び色再現特性測定方法を提供することを目的とする。
【０００８】
【課題を解決するための手段】
上記目的を達成するために、請求項１に記載の発明は、カラー画像を表示可能な表示手段と、複数の色彩値が対応付けられたカラーチャートデータを記憶する記憶手段と、前記色彩値に基づいて表示信号を生成し、前記表示手段に与えることで、前記カラーチャートデータに対応するカラーチャートを前記表示手段に表示させる表示制御手段と、前記表示手段に表示される前記カラーチャートの各表示色を測色する測色手段と、前記色彩値と前記測色手段で得られる測色値との色差が所定範囲内となるように前記表示信号を調整することによって、前記表示手段に表示される前記カラーチャートの各表示色を補正する色補正手段と、前記色補正手段によって補正された前記カラーチャートを前記ディジタルカメラで撮影して得られる画像データに基づいて、前記カラーチャートの各表示色に対応する色成分値を求め、当該色成分値と前記色彩値とを対応付けることによって前記ディジタルカメラの色再現特性データを求める演算手段と、を備えて構成される。
【０００９】
請求項２に記載の発明は、請求項１に記載のディジタルカメラの色再現特性測定装置であって、前記色再現特性データを前記ディジタルカメラに対して出力することを特徴としている。
【００１０】
請求項３に記載の発明は、ディジタルカメラの色再現特性測定方法であって、複数の色彩値が対応付けられたカラーチャートデータに基づいて表示信号を生成し、所定の表示手段に与えることで、前記カラーチャートデータに対応するカラーチャートを前記表示手段に表示させる工程と、前記表示手段に表示される前記カラーチャートの各表示色を所定の測色手段で測色する工程と、前記色彩値と前記測色手段で得られる測色値との色差が所定範囲内となるように前記表示信号を調整することによって、前記表示手段に表示される前記カラーチャートの各表示色を補正する工程と、前記各表示色の補正された前記カラーチャートを前記ディジタルカメラで撮影して得られる画像データに基づいて、前記カラーチャートの各表示色に対応する色成分値を求め、当該色成分値と前記色彩値とを対応付けることによって前記ディジタルカメラの色再現特性データを求める工程と、を有している。
【００１１】
請求項４に記載の発明は、請求項３に記載のディジタルカメラの色再現特性測定方法であって、前記色再現特性データを前記ディジタルカメラに対して出力する工程を更に有している。
【００１２】
【発明の実施の形態】
以下、この発明の実施の形態について図面を参照しつつ詳細に説明する。
【００１３】
＜１．第１の実施の形態＞
図１はこの発明の実施の形態にかかるディジタルカメラの色再現特性測定システム１を示す図である。図１に示すように色再現特性測定システム１は、色再現特性を測定する対象となるディジタルカメラ１０と、コンピュータ等によって構成される色再現特性測定装置２０とを備えて構成される。ディジタルカメラ１０の撮影方向は色再現特性測定装置２０の表示画面に向けられた状態で設置される。
【００１４】
ディジタルカメラ１０は色再現特性測定装置２０とケーブル２を介してデータ通信可能なように構成されており、撮影動作によって得られる撮影画像データを色再現特性測定装置２０に対して送信することができるように構成される。また、ディジタルカメラ１０は色再現特性測定装置２０から送信されるデータを受信することができるようにも構成される。ただし、ディジタルカメラ１０と色再現特性測定装置２０との接続形態はケーブルを介さない無線通信であってもよい。
【００１５】
そして、上記のようにディジタルカメラ１０と色再現特性測定装置２０とがデータ通信可能なように構成された色再現特性測定システム１において、色再現特性測定装置２０が複数の色パターンを有するカラーチャート画像を表示し、ディジタルカメラ１０でそのカラーチャート画像を撮影することにより、ディジタルカメラ１０の色再現特性が求められる。
【００１６】
図２は第１の実施の形態における色再現特性測定システム１の詳細構成を示すブロック図である。図２に示すように、色再現特性測定装置２０は、表示部５、測色計（測色センサ）６、制御部３０、記憶部４０及び通信制御部７を備えて構成される。
【００１７】
表示部５は液晶表示器やＣＲＴ表示器等のカラー画像を表示可能なディスプレイである。また測色計６は表示部５の表示画面に対して所定の位置関係となるように設置することができ、表示部５に表示される画像の一部分を測色してその測色値（すなわち、測定色彩値）を出力するように構成される。つまり、測色計６は表示部５での表示色を測定するのである。なお、色彩値は例えばＸＹＺ表色系で表現され、測色計６からはＸＹＺ表色系で表現された測定色彩値が出力される。
【００１８】
記憶部４０は磁気ディスク装置等によって構成され、そこにはカラーチャートデータ４１が予め格納される。カラーチャートデータ４１はそれぞれに異なる色彩値（基準色彩値）が対応付けられた複数の色パターンを有している。なお、各色パターンの色彩値もＸＹＺ表色系で表現される。
【００１９】
例えば、この発明の実施の形態においてカラーチャートに２０種類の色パターンが含まれるとすると、各色パターンと色彩値（Ｘ，Ｙ，Ｚの各値）との関係は次の表１のようになる。
【００２０】
【表１】
0004007016.tif 000002
【００２１】
また、カラーチャートデータ４１には表示部５にカラーチャートが表示される際の各色パターンの配置位置も規定されている。そのため、表１に示す各色パターンの色彩値と、配置位置とを参照することにより、表示部５のどの部分に対してどのような色を表示すればよいかが判明する。
【００２２】
制御部３０は色再現特性測定装置２０内部のＣＰＵ及びメモリによって実現されるものであり、特にＣＰＵが所定のプログラムを実行することによって種々の機能が実現される。
【００２３】
すなわち、制御部３０は測定色彩値記憶部３１、部分画像データ抽出部３３、色再現特性データ算出部３４、及び表示制御部５０としての機能を備える。測定色彩値記憶部３１はメモリ等によって構成され、測色計６から出力される測定色彩値を一時的に記憶する機能を有する。また、部分画像データ抽出部３３はディジタルカメラ１０から入力する、カラーチャートを撮影した撮影画像データから各色パターンに対応する画像部分を抽出する機能を有する。
【００２４】
そして色再現特性データ算出部３４はディジタルカメラ１０の色再現特性データを求める機能を有する。この実施の形態では、色再現特性データ算出部３４は、撮影画像データから得られる各色パターンの部分画像から、ディジタルカメラ１０が各色パターンを撮影した際の色成分値を求め、その色成分値と測定色彩値とを対応付けることによって色再現特性データを求めるように構成される。
【００２５】
表示制御部５０には画像生成部５１と表示信号発生部５２とが設けられており、表示信号発生部５２にはさらに色補正部５３が設けられている。
【００２６】
画像生成部５１は表示部５に対して任意の画像を表示させる際の表示用画像を生成する機能を有しており、例えば表示部５にカラーチャートの表示を行う際には記憶部４０に予め格納されているカラーチャートデータ４１を読み出してカラーチャート画像を生成する。
【００２７】
表示信号発生部５２は画像生成部５１から与えられる画像を表示部５において表示させるために、表示信号を生成する。表示信号は例えばＲＧＢ色空間で表現されたカラー信号である。表示部５にカラーチャートを表示させる場合、表示信号発生部５２はカラーチャート画像についての表示信号を生成する際に、カラーチャートデータ４１を参照することにより、カラーチャートの各色パターンに対応付けられた色彩値に基づいて表示信号を生成する。つまり、各色パターンを定義付けている色彩値を再現するための表示信号を生成するのである。
【００２８】
なお、各色パターンに対応付けられた色彩値はＸＹＺ表色系で表現されるため、表示信号発生部５２はＸＹＺ表色系で表現されるカラー情報をＲＧＢ色空間で表現されたカラー情報に変換する機能も有している。
【００２９】
また、色補正部５３は表示部５の表示色を調整する機能を有し、表示信号発生部５２が表示信号を生成する際には、色補正部５３において設定されている色補正パラメータが反映された表示信号を生成する。具体的には、ＸＹＺ表色系で表現された色彩値に基づいて、ＲＧＢ色空間で表現された表示信号を生成する際に、色補正部５３は表示部５のカラー表示特性等に応じた色補正パラメータを適用することで、カラーチャートを構成する各色パターンの色彩値に基づいた表示色を実現するように構成されている。
【００３０】
また通信制御部７はケーブル２を介してディジタルカメラ１０とデータ通信を行う機能を有する。
【００３１】
一方、ディジタルカメラ１０は画像撮影部１１、画像ファイル作成部１２、記憶部１３及び通信制御部８を備えて構成される。記憶部１３には撮影画像データ６１と色再現特性データ６２と画像ファイル６３とが格納される。
【００３２】
画像撮影部１１は光電変換素子等を備えて構成され、撮影指示が与えられたタイミングで撮影動作を行い、電子的なカラー撮影画像である撮影画像データ６１を生成する機能を有する。この撮影画像データ６１はカラー情報をＲＧＢ色空間で表現する。画像撮影部１１で生成された撮影画像データ６１は一時的に記憶部１３に格納される。
【００３３】
ディジタルカメラ１０では色再現特性測定装置２０の表示部５に表示されるカラーチャートを撮影した際、それによって得られるカラーチャートの撮影画像データ６１が記憶部１３に一旦格納され、その後、通信制御部８に出力され、色再現特性測定装置２０に対して送信されるように構成される。
【００３４】
そして色再現特性測定装置２０においてディジタルカメラ１０の色再現特性を示す色再現特性データが生成され、ディジタルカメラ１０はその色再現特性データ６２を受信して記憶部１３に格納するように構成される。
【００３５】
色再現特性データとは、ディジタルカメラ１０に固有の色再現特性を示すデータであって、ディジタルカメラ１０で得られるカラー撮影画像を実際の被写体に忠実な色で再現するためのデータである。そして、この色再現特性データは、いわゆるカラーマッチング技術に適用され、コンピュータにおいて撮影画像を表示する際、又はプリンタにおいて撮影画像を印刷する際等、ディジタルカメラ１０で得られた撮影画像をディジタルカメラ１０以外の装置で処理する際に、ディジタルカメラ１０の色再現特性データに基づいた色補正が行われ、色再現性の高度化が図られる。
【００３６】
画像ファイル作成部１２は、記憶部１３に記憶される撮影画像データ６１と色再現特性データ６２とを読み出し、撮影画像データ６１と色再現特性データ６２とを関連づけた１つの画像ファイル６３を生成し、記憶部１３に格納保存する。
【００３７】
また、記憶部１３に格納保存された画像ファイル６３は、必要に応じて記憶部１３から読み出され、通信制御部８を介して外部機器（カラー画像出力装置等）に出力される。
【００３８】
通信制御部８はディジタルカメラ１０が色再現特性測定装置２０及びその他の外部機器とのデータ通信を行うためのものである。
【００３９】
以上のように構成された色再現特性測定システム１において、ディジタルカメラ１０の色再現特性を求める際、色再現特性測定装置２０の表示部５にカラーチャートの表示が行われる。
【００４０】
図３は表示部５に表示されるカラーチャートの一例を示す図である。例えば、上記表１のように、カラーチャートを構成する色パターンが２０種類あるとすると、表示部５の画面には図３に示すように２０種類の色パターンがそれぞれの配置位置に従って表示される。このとき、各色パターンは上記表１のように規定される色彩値に基づいて表示部５の画面上にカラー表示されることになる。
【００４１】
ところが、画面上に表示される各色パターンの表示色は、表示部５の表示特性等により、カラーチャートデータ４１が示す色彩値とは異なった色となる。そのため、色再現特性測定装置２０では測色計６によって各色パターンの測色が行われ、実際に表示部５の画面上に各色パターンを表示した際の各色パターンの表示色の色彩値が取得される。
【００４２】
例えば、表示部５の画面上で、測色計６が測色可能な表示位置に、各色パターンを順次表示し、各色パターンの測色を実行していく。そして全ての色パターンについての測色処理が終了すると、各色パターンを表示した際の表示色に基づく色彩値が測定色彩値記憶部３１に格納されることになる。
【００４３】
そして、表１の色彩値に基づいて表示された２０種類の色パターンを測色して得られる、各色パターンと測定色彩値（Ｘ，Ｙ，Ｚの各値）との関係は次の表２のようになる。
【００４４】
【表２】
0004007016.tif 000003
【００４５】
その後、ディジタルカメラ１０を用いて、色再現特性測定装置２０の表示部５に表示されたカラーチャートの撮影が行われ、そのときに得られたカラーチャートの撮影画像データ６１がディジタルカメラ１０からケーブル２を介して色再現特性測定装置２０に送られる。
【００４６】
そして色再現特性測定装置２０において部分画像データ抽出部３３が機能し、カラーチャートを構成する各色パターンの配置位置に関する情報に基づいて、カラーチャートの撮影画像データ６１から、各色パターンが写っている画像部分を抽出する。
【００４７】
色再現特性データ算出部３４は各色パターンに対応する部分画像から、ＲＧＢ色空間での色成分値（すなわち、Ｒ，Ｇ，Ｂの各値）を抽出する。これにより、色再現特性データ算出部３４では、色パターンと、ディジタルカメラ１０でその色パターンを撮影した際に得られるＲＧＢ値との関係が表３のように得られることになる。
【００４８】
【表３】
0004007016.tif 000004
【００４９】
また色再現特性データ算出部３４は、測定色彩値記憶部３１に格納された各色パターンと測定色彩値との関係（表２参照）、及び、ディジタルカメラ１０で撮影して得られる各色パターンと色成分値との関係（表３参照）に基づいて、測定色彩値と色成分値との関係を求める。次に示す表４が、測定色彩値と色成分値との関係の一例である。
【００５０】
【表４】
0004007016.tif 000005
【００５１】
表４の関係により、表示部５に表示された各色パターンの表示色が実際にどのような色彩値であったかが明確となり、かつ、その表示色の色彩値とディジタルカメラ１０で得られる色成分値との関係が明確となる。
【００５２】
したがって、ディジタルカメラ１０で撮影した際のＲＧＢ値から実際には被写体がどのような色であるかを特定することができるとともに、撮影画像データの色再現性を向上させるための色再現特性データを求めることが可能になる。
【００５３】
次に、この実施の形態の色再現特性測定システム１における動作手順について説明する。図４は色再現特性測定システム１における処理シーケンスを示すフローチャートである。
【００５４】
まず、色再現特性測定装置２０において表示制御部５０が記憶部４０に記憶されるカラーチャートデータ４１を読み出し、各色パターンの色彩値に基づいた表示信号の生成が行われる（ステップＳ２０１）。そして表示制御部５０がその表示信号を表示部５に与えることにより、表示部５において表示信号に基づいたカラーチャートの表示が行われる（ステップＳ２０２）。
【００５５】
そして測色計６によって、表示部５に表示されるカラーチャートの各色パターンの表示色が測色され（ステップＳ２０３）、各色パターンの測定色彩値が測定色彩値記憶部３１に格納される。ただし、この測色処理は、カラーチャートを構成する全ての色パターンについて行われる。
【００５６】
表示部５に表示される全ての色パターンの測色処理が終了すると、次にディジタルカメラ１０を用いて、表示部５に表示されるカラーチャートの撮影処理が行われる（ステップＳ１０１）。この結果得られるカラーチャートの撮影画像データは、ディジタルカメラ１０から色再現特性測定装置２０へと送信される（ステップＳ１０２）。
【００５７】
色再現特性測定装置２０では、ディジタルカメラ１０からカラーチャートの撮影画像データを受信すると（ステップＳ２０４）、その撮影画像データが部分画像データ抽出部３３に与えられ、撮影画像データから各色パターンの色成分値の抽出が行われる（ステップＳ２０５）。
【００５８】
各色パターンの色成分値は色再現特性データ算出部３４に与えられ、色再現特性データ算出部３４において色再現特性データの生成が行われる（ステップＳ２０６）。具体的には、測色計６で得られた測色値（すなわち、測定色彩値）と、撮影画像の色成分値とを対応付けて、測定色彩値と色成分値との関係を求め、その関係から、撮影画像データの色再現性を向上させるために、ＩＣＣプロファイル等と呼ばれるような、撮影画像の色成分値を変換（補正）するための色再現特性データを算出するのである。
【００５９】
そして色再現特性データ算出部３４において算出された色再現特性データは、通信制御部７に出力され、通信制御部７の機能によって色再現特性測定装置２０からディジタルカメラ１０に送信される（ステップＳ２０７）。
【００６０】
ディジタルカメラ１０は色再現特性測定装置２０から色再現特性データ６２を受信すると（ステップＳ１０３）、その受信した色再現特性データ６２を記憶部１３に保存する（ステップＳ１０４）。
【００６１】
以上で、色再現特性測定システム１において、ディジタルカメラ１０の色再現特性が特定されることになる。そしてディジタルカメラ１０が自己の色再現特性に関する色再現特性データ６２を記憶しておくことで、カラーマッチングを行うことが可能になる。すなわち、ディジタルカメラ１０を用いて通常の被写体を撮影し、それによって得られる撮影画像データ６１をコンピュータやプリンタ等の外部機器に出力する際、撮影画像データ６１と色再現特性データ６２とが関連づけられた１つの画像ファイル６３を出力することで、外部機器側で撮影画像データ６１に対する色再現特性データ６２に応じた色補正を行うことができる。この結果、ディジタルカメラ固有の特性を取り除き、実際の被写体の色を忠実に再現することが可能になり、色再現性を向上させることができる。
【００６２】
図５は、記憶部１３に色再現特性データ６２が格納された状態でのディジタルカメラ１０の撮影処理シーケンスを示すフローチャートである。
【００６３】
図５に示すように、通常の被写体を撮影する場合、ディジタルカメラ１０では画像撮影部１１が機能し、シャッタボタン押下操作等に応答して撮影動作を開始させる（ステップＳ１１０）。これにより、被写体像が光電変換されて撮影画像データ６１が生成される（ステップＳ１１１）。
【００６４】
撮影画像データ６１が生成されると、ディジタルカメラ１０においては次に画像ファイル作成部１２が機能する。そして記憶部１３に格納されている色再現特性データ６２の読み出しが行われる（ステップＳ１１２）。そして画像ファイル作成部１２は被写体を撮影して得られた撮影画像データ６１と、色再現特性データ６２とを互いに関連づけて画像ファイル６３を作成し（ステップＳ１１３）、記憶部１３に保存したり、又は通信制御部８を介して外部機器に出力する（１１４）。
【００６５】
このようにディジタルカメラ１０で撮影画像データ６１と色再現特性データ６２とを互いに関連づけて画像ファイル６３を生成することにより、上述したカラーマッチングを容易に行うことが可能になる。
【００６６】
以上のように、この実施の形態の色再現特性測定システム１によれば、カラーチャートに退色等の問題が発生することがなく、常に高い信頼性でディジタルカメラ１０の色再現特性を求めることが可能になる。そしてその結果、精度の高いカラーマッチングを行うことが可能になる。
【００６７】
＜２．第２の実施の形態＞
次に、第２の実施の形態について説明する。上記第１の実施の形態では、測色計６によって得られた測定色彩値と、ディジタルカメラで撮影された色成分値とから色再現特性データを求める形態を例示したが、この実施の形態ではカラーチャートデータ４１を構成する各色パターンの色彩値（基準色彩値）とディジタルカメラで撮影された色成分値とから色再現特性データを求める形態について説明する。
【００６８】
ただし、この実施の形態においてもディジタルカメラの色再現特性測定システム１ａに関する概略構成は図１に示したものと同様であり、色再現特性測定システム１ａは、色再現特性を測定する対象となるディジタルカメラ１０ａと、コンピュータ等によって構成される色再現特性測定装置２０ａとを備えて構成される。
【００６９】
そして、第１の実施の形態と同様に、ディジタルカメラ１０ａと色再現特性測定装置２０ａとがデータ通信可能なように構成された色再現特性測定システム１ａにおいて、色再現特性測定装置２０ａが複数の色パターンを有するカラーチャート画像を表示し、ディジタルカメラ１０ａでそのカラーチャート画像を撮影することにより、ディジタルカメラ１０ａの色再現特性が求められる。
【００７０】
図６は第２の実施の形態における色再現特性測定システム１ａの詳細構成を示すブロック図である。ただし、図６では第１の実施の形態において説明した部材と同様の部材については同一符号を付しており、ここではそれらに関する重複説明は省略する。
【００７１】
図６に示すように、色再現特性測定装置２０ａは、表示部５、測色計（測色センサ）６、制御部３０、記憶部４０及び通信制御部７を備えて構成される。
【００７２】
制御部３０は、測定色彩値記憶部３１、色差計算部３２、部分画像データ抽出部３３、色再現特性データ算出部３４、及び表示制御部５０としての機能を備える。
【００７３】
そして第１の実施の形態と同様に、表示制御部５０が記憶部４０に記憶されるカラーチャートデータ４１を取得し、各色パターンの色彩値に基づいて表示信号を生成し、それを表示部５に与えることでカラーチャートの表示が行われる。
【００７４】
そして測色計６によって各色パターンの測色が行われ、各色パターンの測定色彩値が測定色彩値記憶部３１に格納される。
【００７５】
色差計算部３２は測定色彩値記憶部３１に記憶される各色パターンの測定色彩値と、カラーチャートデータ４１における各色パターンの色彩値（基準色彩値）との色差を計算する機能を有する。色差計算部３２は例えば測定色彩値記憶３１に記憶される各色パターンの測定色彩値と、カラーチャートデータ４１における各色パターンの色彩値とを読み出し、各色彩値を色度値（Ｌ*ａ*ｂ*表色系で表現されるカラー情報）に変換し、各色度成分の差分に基づいて色差を算出するように構成される。
【００７６】
そして色差計算部３２は算出された色差に基づいて、色補正部５３において適用される色補正パラメータを調整するように構成される。具体的には、各色パターンの測定色彩値と、カラーチャートデータ４１における各色パターンの色彩値との色差が小さくなるように色補正パラメータを調整し、その色補正パラメータが表示信号に反映されることによって表示部５に表示される各色パターンの表示色がカラーチャートデータ４１における各色パターンの色彩値とほぼ一致するように実現される。
【００７７】
つまり、カラーチャートデータ４１を構成する各色パターンの色彩値（基準色彩値）とディジタルカメラ１０ａで撮影された色成分値とから色再現特性データを求める場合、表示部５に表示され、ディジタルカメラ１０ａの撮影対象となるカラーチャートは、カラーチャートデータ４１を構成する各色パターンの色彩値を忠実に再現していることが望まれるため、この実施の形態ではカラーチャートの撮影前に、基準色彩値と表示色との色差に基づいて表示色を調整しておくように構成される。
【００７８】
そして表示部５に表示される各色パターンの表示色がカラーチャートデータ４１における各色パターンの色彩値にほぼ一致した状態で、ディジタルカメラ１０ａを用いてカラーチャートの撮影が行われ、それによって得られる撮影画像データがディジタルカメラ１０ａから色再現特性測定装置２０ａに入力する。
【００７９】
そして部分画像データ抽出部３３がディジタルカメラ１０ａから得られる撮影画像データから各色パターンに対応する画像部分を抽出し、色再現特性データ算出部３４がディジタルカメラ１０ａの色再現特性データを求める。この実施の形態では、色再現特性データ算出部３４は、撮影画像データから得られる各色パターンの部分画像から、ディジタルカメラ１０が各色パターンを撮影した際の色成分値を求め、その色成分値と、カラーチャートデータ４１に含まれる各色パターンの色彩値（基準色彩値）とを対応付けることによって色再現特性データを求めるように構成される。
【００８０】
色再現特性データ算出部３４は、各色パターンと、記憶部４０に格納されたカラーチャートデータ４１における色彩値との関係（上記表１参照）、及び、ディジタルカメラ１０ａで撮影して得られる各色パターンと色成分値との関係（上記表３参照）に基づいて、色彩値（基準色彩値）と色成分値との関係を求める。次に示す表５が、色彩値（基準色彩値）と色成分値との関係の一例である。
【００８１】
【表５】
0004007016.tif 000006
【００８２】
表５の関係により、ある色彩値に基づいて表示部５に表示した際に、その色彩値と色成分値との関係が明確になる。
【００８３】
したがって、ディジタルカメラ１０ａで撮影した際のＲＧＢ値から実際には被写体がどのような色であるかを特定することができるとともに、撮影画像データの色再現性を向上させるための色再現特性データを求めることが可能になる。
【００８４】
次に、この実施の形態の色再現特性測定システム１ａにおける動作手順について説明する。図７及び図８は色再現特性測定システム１ａにおける処理シーケンスを示すフローチャートである。
【００８５】
まず、色再現特性測定装置２０ａにおいて表示色の調整処理が行われる（ステップＳ２２０）。この表示色の調整処理の詳細な処理シーケンスは図８に示すフローチャートである。
【００８６】
表示色の調整処理では、複数の色パターンを構成するそれぞれの表示色を順次調整していくことが行われる。そのため、まず調整対象の色パターンを特定するためのパラメータｉを１に初期化することが行われる（ステップＳ３００）。
【００８７】
そしてカラーチャートデータ４１に基づいてｉ番目の色パターンの表示信号が生成され（ステップＳ３０１）、その表示信号に基づいてｉ番目の色パターンが表示部５に表示される（ステップＳ３０２）。そして測色計６により、表示部５に表示された色パターンの表示色の測色が行われ（ステップＳ３０３）、色差計算部３２で色パターンの基準色彩値と、測定色彩値との色差が計算される（ステップＳ３０４）。
【００８８】
そして色パターンの基準色彩値と測定色彩値との色差に基づいて色補正パラメータを調整することにより、ｉ番目の色パターンを表示させるため表示信号を補正し、その補正された表示信号に基づいて再度ｉ番目の色パターンを表示させる（ステップＳ３０５）。そして再度測色計６を用いて色パターンの表示色の測色が行われ（ステップＳ３０６）、色差計算部３２で色パターンの基準色彩値と、測定色彩値との色差が計算される（ステップＳ３０７）。
【００８９】
このとき得られる色差が所定範囲内にあるか否かが検査され、色差が所定範囲内にある場合はｉ番目の色パターンの表示色が基準色彩値にほぼ一致したものと判断されてステップＳ３０９に進む。これに対し、色差が所定範囲内にない場合には、ｉ番目の色パターンの表示色は基準色彩値と一致していないことになるため、ステップＳ３０５以降の処理が繰り返し行われ、表示色の調整が行われる。
【００９０】
色パターンの基準色彩値と測定色彩値との色差が所定範囲内となった場合には、ｉ番目の色パターンに関する色補正パラメータが色補正部５３において記憶され（ステップＳ３０９）、次の色パターンを調整対象とするためにパラメータｉに対して１が加算される（ステップＳ３１０）。
【００９１】
そして全ての色パターンについて表示色の調整が終了したか否かが判定される（ステップＳ３１１）。例えば、上記表１等に示すようにカラーチャートを構成する色パターンが２０種類ある場合には、それら２０種類の色パターン全てについてステップＳ３０１〜Ｓ３１０の処理が繰り返し行われることになる。そして全ての色パターンについて表示色の調整処理が終了すると、図７のフローチャートにおけるステップＳ２２１に進む。
【００９２】
表示処理の調整処理（ステップＳ２２０）が終了すると、色再現特性測定装置２０ａの表示部５には、各色パターンの補正された色補正パラメータに基づいたカラーチャートの表示が行われる（ステップＳ２２１）。このとき表示されるカラーチャートはカラーチャートデータ４１に規定される色彩値を忠実に再現したものとなっている。
【００９３】
次にディジタルカメラ１０ａを用いて、表示部５に表示されるカラーチャートの撮影処理が行われる（ステップＳ１２０）。この撮影処理によって得られるカラーチャートの撮影画像データは、ディジタルカメラ１０ａから色再現特性測定装置２０ａへと送信される（ステップＳ１２１）。
【００９４】
色再現特性測定装置２０ａでは、ディジタルカメラ１０ａからカラーチャートの撮影画像データを受信すると（ステップＳ２２２）、その撮影画像データが部分画像データ抽出部３３に与えられ、撮影画像データから各色パターンの色成分値の抽出が行われる（ステップＳ２２３）。
【００９５】
各色パターンの色成分値は色再現特性データ算出部３４に与えられ、色再現特性データ算出部３４において色再現特性データの生成が行われる（ステップＳ２２４）。具体的には、カラーチャートデータ４１にて規定される測色値（基準色彩値）と、撮影画像の色成分値とを対応付けて、基準色彩値と色成分値との関係（表５参照）を求め、その関係から、撮影画像データの色再現性を向上させるために、ＩＣＣプロファイル等と呼ばれるような、撮影画像の色成分値を変換（補正）するための色再現特性データを算出するのである。
【００９６】
そして色再現特性データ算出部３４において算出された色再現特性データは、通信制御部７に出力され、通信制御部７の機能によって色再現特性測定装置２０ａからディジタルカメラ１０ａに送信される（ステップＳ２２５）。
【００９７】
ディジタルカメラ１０ａは色再現特性測定装置２０ａから色再現特性データ６２を受信すると（ステップＳ１２２）、その受信した色再現特性データ６２を記憶部１３に保存する（ステップＳ１２３）。
【００９８】
以上で、色再現特性測定システム１ａにおいて、ディジタルカメラ１０ａの色再現特性が特定されることになる。そしてこの実施の形態でも、ディジタルカメラ１０ａが自己の色再現特性に関する色再現特性データ６２を記憶しておくことで、カラーマッチングを行うことが可能になる。すなわち、ディジタルカメラ１０ａを用いて通常の被写体を撮影し、それによって得られる撮影画像データ６１をコンピュータやプリンタ等の外部機器に出力する際、撮影画像データ６１と色再現特性データ６２とが関連づけられた１つの画像ファイル６３を出力することで、外部機器側で撮影画像データ６１に対する色再現特性データ６２に応じた色補正を行うことができる。この結果、ディジタルカメラ固有の特性を取り除き、実際の被写体の色を忠実に再現することが可能になり、色再現性を向上させることができる。
【００９９】
なお、ディジタルカメラ１０ａを用いて通常の被写体を撮影する際の撮影処理シーケンスは第１の実施の形態で説明したものと同様である。
【０１００】
以上のように、この実施の形態でも、ディジタルカメラ１０ａで撮影画像データ６１と色再現特性データ６２とを互いに関連づけて画像ファイル６３を生成することにより、上述したカラーマッチングを容易に行うことが可能になる。
【０１０１】
また、この実施の形態の色再現特性測定システム１ａでも、カラーチャートに退色等の問題が発生することがなく、常に高い信頼性でディジタルカメラ１０ａの色再現特性を求めることが可能になる。そしてその結果、精度の高いカラーマッチングを行うことが可能になる。
【０１０２】
＜３．変形例＞
以上、この発明の実施の形態について説明したが、この発明は上記説明した内容のものに限定されるものではない。
【０１０３】
例えば、上記説明においては、１台のディジタルカメラについて色再現特性を求める場合を例示したが、色再現特性の算出対象となるディジタルカメラが複数台ある場合でも各ディジタルカメラについて上述した処理を繰り返せば各ディジタルカメラについて色再現特性データを得ることが可能である。
【０１０４】
また、上記説明においては、カラーチャートを表示部５に表示した際に、複数の色パターンが一画面中に表示される場合を例示したが、これに限定されるものではなく、例えば画面を更新させつつ複数の色パターンを表示するようにしてもよい。ただし、ディジタルカメラでカラーチャートを撮影する際には、一画面中に全ての色パターンが表示されている方が１回の撮影動作で全ての色パターンを撮影することができるため、より効率的であるという点で好ましい。
【０１０５】
また、上記説明においては、色再現特性測定装置２０，２０ａに求められた色再現特性データがディジタルカメラ１０，１０ａに出力され、ディジタルカメラ１０，１０ａにおいて色再現特性データが保持される場合について例示したが、これに限定されるものでもない。ディジタルカメラ１０，１０ａの撮影動作によって得られる撮影画像データの出力先が予め決められている場合には、色再現特性測定装置２０，２０ａからその出力先となる外部機器（コンピュータやプリンタ等のカラー画像出力装置）に対して色再現特性データを出力するようにしてもよい。このように構成すれば、外部機器側でディジタルカメラ１０，１０ａの色再現特性データを保持することができ、ディジタルカメラ１０，１０ａから撮影画像データを入力した際に、その色再現特性データを用いてカラー画像出力の色再現性を向上させることが可能になる。
【０１０６】
また、色再現特性測定装置２０，２０ａがディジタルカメラ１０，１０ａからの撮影画像データの出力先として予め決められている場合には、色再現特性データを外部に出力することなく、内部の記憶部４０に保存しておくようにしてもよい。このように構成すれば、ディジタルカメラ１０，１０ａから通常の被写体を撮影した撮影画像データを入力した際に、その色再現特性データを用いてカラー画像出力の色再現性を向上させることが可能になる。
【０１０７】
なお、上述した実施の形態には、以下の発明概念が含まれる。
【０１０８】
（１）請求項１又は２に記載の、ディジタルカメラの色再現特性測定装置において、前記色再現特性データを前記ディジタルカメラ以外の外部機器に対して出力することを特徴とする、ディジタルカメラの色再現特性測定装置。
【０１０９】
これにより、外部機器がディジタルカメラの撮影画像データを入力した場合に、色再現特性データを適用することで高い色再現性を実現することができる。
【０１１０】
（２）請求項１又は２に記載の、ディジタルカメラの色再現特性測定装置において、前記色再現特性データを記憶する記憶部をさらに備える、ディジタルカメラの色再現特性測定装置。
【０１１１】
これにより、色再現特性測定装置がディジタルカメラから撮影画像データを入力した場合に、色再現特性データを適用することで高い色再現性を実現することができる。
【０１１２】
（３）請求項４又は５に記載の、ディジタルカメラの色再現特性測定方法によって得られる前記色再現特性データを記憶する記憶手段を備えるディジタルカメラ。
【０１１３】
これにより、ディジタルカメラにおいて自己の色再現特性データを管理することができる。
【０１１４】
（４）上記（３）に記載のディジタルカメラにおいて、撮影動作によって得られる撮影画像データと、前記色再現特性データと、を関連づけて外部機器に出力するように構成されたディジタルカメラ。
【０１１５】
これにより、外部機器においても高い色再現性で撮影画像を再現することができる。
【０１１７】
【発明の効果】
以上説明したように、請求項１に記載の発明によれば、カラーチャートの色彩値と測色手段で得られる測色値との色差が所定範囲内となるように表示信号を調整することによって、表示手段に表示されるカラーチャートの各表示色を補正し、その補正されたカラーチャートをディジタルカメラで撮影してカラーチャートの各表示色に対応する色成分値を求め、当該色成分値と、カラーチャートの色彩値とを対応付けることによってディジタルカメラの色再現特性データを求めるため、カラーチャートの色彩値と撮影によって得られる色成分値との対応関係で色再現特性を求めることができる。このため、カラーチャートに退色等の問題が発生することがなく、常に高い信頼性でディジタルカメラの色再現特性を求めることが可能になる。そしてさらには、精度の高いカラーマッチングを行うことが可能になる。
【０１１８】
請求項２に記載の発明によれば、色再現特性データをディジタルカメラに対して出力するように構成されるため、ディジタルカメラにおいて自己の色再現特性データを管理することが可能になる。そのため、例えばディジタルカメラで得られる撮影画像データを出力する際に、撮影画像データと色再現特性データとを関連付けて出力することができ、精度の高いカラーマッチングを行うことが可能になる。
【０１１９】
請求項３に記載の発明によれば、表示されたカラーチャートの測色値と、撮影によって得られる色成分値との対応関係で色再現特性を求めることができる。このため、カラーチャートに退色等の問題が発生することがなく、常に高い信頼性でディジタルカメラの色再現特性を求めることが可能になる。そしてさらには、精度の高いカラーマッチングを行うことが可能になる。
【０１２０】
請求項４に記載の発明によれば、色再現特性データをディジタルカメラに対して出力するため、ディジタルカメラにおいて自己の色再現特性データを管理することが可能になる。そのため、例えばディジタルカメラで得られる撮影画像データを出力する際に、撮影画像データと色再現特性データとを関連付けて出力することができ、精度の高いカラーマッチングを行うことが可能になる。
【図面の簡単な説明】
【図１】この発明の実施の形態にかかる、ディジタルカメラの色再現特性測定システムを示す図である。
【図２】第１の実施の形態における色再現特性測定システムの詳細構成を示すブロック図である。
【図３】表示部に表示されるカラーチャートの一例を示す図である。
【図４】色再現特性測定システムにおける処理シーケンスを示すフローチャートである。
【図５】ディジタルカメラの撮影処理シーケンスを示すフローチャートである。
【図６】第２の実施の形態における色再現特性測定システムの詳細構成を示すブロック図である。
【図７】色再現特性測定システムにおける処理シーケンスを示すフローチャートである。
【図８】色再現特性測定システムにおける処理シーケンスを示すフローチャートである。
【符号の説明】
１，１ａ  色再現特性測定システム
５  表示部（表示手段）
６  測色計（測色手段）
１０，１０ａ  ディジタルカメラ
２０，２０ａ  色再現特性測定装置
３１  測定色彩値記憶部
３２  色差計算部
３３  部分画像データ抽出部
３４  色再現特性データ算出部（演算手段）
４０，１３  記憶部
４１  カラーチャートデータ
５０  表示制御部
５３  色補正部（色補正手段）
６１  撮影画像データ
６２  色再現特性データ
６３  画像ファイル
【図１】
0004007016.tif 000007
【図２】
0004007016.tif 000008
【図３】
0004007016.tif 000009
【図４】
0004007016.tif 000010
【図５】
0004007016.tif 000011
【図６】
0004007016.tif 000012
【図７】
0004007016.tif 000013
【図８】
0004007016.tif 000014